(57)【要約】【課題】  反りの問題を解消するべく、水晶振動片と外枠とを一体に形成した水晶板の上下面に上下水晶板を陽極接合により一体に接合し得る積層構造の水晶振動子を提供する。【解決手段】  水晶振動片５と外枠６とを一体に形成した中間水晶板２の上下面に、それぞれ中間水晶板との対向面に水晶振動片を収容するキャビティを画定する凹部１４，１５を有する上側及び下側水晶板３，４を積層する。上側及び下側水晶板は、中間水晶板との接合面にアルミニウムなどのアルカリ金属をドープしたドーピング層１６，１７を有し、該接合面と導電膜９，１１を形成した中間水晶板の外枠上下面とを陽極接合により気密に接合する。【選択図】  図１
2006094372.tif 000002
【特許請求の範囲】
【請求項１】
水晶振動片と外枠とを一体に形成した中間水晶板と、前記中間水晶板の上面及び下面にそれぞれ接合される上側及び下側水晶板とを有し、
前記中間水晶板と前記上側及び下側水晶板とにより画定されるキャビティ内に前記水晶振動片が浮いた状態で保持され、
前記上側及び下側水晶板が、それぞれ前記中間水晶板との接合面にアルカリ金属のドーピング層を有し、前記接合面において前記中間水晶板の前記外枠と陽極接合により気密に接合されていることを特徴とする水晶振動子。
【請求項２】
前記アルカリ金属がナトリウム、カリウム、リチウム、カルシウム、マグネシウムの中から選択した１種又は２種以上であることを特徴とする請求項１に記載の水晶振動子。  
【請求項３】
前記上側及び下側水晶板が、前記キャビティを画定するようにそれぞれ前記中間水晶板との対向面に形成された凹部を有することを特徴とする請求項１又は２に記載の水晶振動子。
【請求項４】
前記中間水晶板が、前記上側及び下側水晶板との間で前記キャビティを画定するように、前記外枠の板厚を前記水晶振動片よりも厚くしたことを特徴とする請求項１又は２に記載の水晶振動子。
【請求項５】
前記中間水晶板の前記外枠が、その板厚を厚み方向上下両方に前記水晶振動片より厚くしたことを特徴とする請求項４に記載の水晶振動子。
【請求項６】
前記上側及び下側水晶板の少くともいずれか一方が、前記キャビティを画定するように前記中間水晶板との対向面に形成された凹部を有することを特徴とする請求項４に記載の水晶振動子。
【請求項７】
前記中間水晶板が、前記外枠の上面に形成されかつ前記水晶振動片の一方の励振電極に接続された上側導電膜と、前記外枠の下面に形成されかつ前記水晶振動片の他方の励振電極に接続された下側導電膜と、前記外枠の下面に前記下側導電膜から電気的に分離させて形成されかつ前記外枠に設けたスルーホールを介して前記上側導電膜に電気的に接続された引出導電膜とを有し、
前記下側水晶板が、その下面に形成されかつそれぞれ前記下側導電膜または前記引出導電膜と電気的に接続された複数の外部電極を有することを特徴とする請求項１乃至６のいずれかに記載の水晶振動子。
【請求項８】
前記下側水晶板が外部から前記キャビティに連通する封止孔を有し、かつ前記封止孔がシール材料で気密に閉塞されていることを特徴とする請求項１乃至７のいずれかに記載の水晶振動子。
【請求項９】
水晶振動片と外枠とを一体にした中間水晶板を形成する工程と、
前記中間水晶板との接合面にアルカリ金属のドーピング層を有する上側水晶板を形成する工程と、
前記中間水晶板との接合面にアルカリ金属のドーピング層を有する下側水晶板を形成する工程と、
前記中間水晶板を挟んでその上下面に前記上側及び下側水晶板を、前記中間水晶板と前記上側及び下側水晶板とにより画定されるキャビティ内に前記水晶振動片が浮いた状態で保持されるように重ね合わせ、前記上側及び下側水晶板の前記接合面と前記中間水晶板の前記外枠とを陽極接合により気密に接合する工程とを有することを特徴とする水晶振動子の製造方法。
【請求項１０】
前記上側水晶板を、前記キャビティを画定するための凹部を前記中間水晶板との対向面に有するように形成し、かつ、前記下側水晶板を、前記上側水晶板の前記凹部と協働して前記キャビティを画定するための凹部を前記中間水晶板との対向面に有するように形成することを特徴とする請求項９に記載の水晶振動子の製造方法。
【請求項１１】
前記中間水晶板を、前記上側及び下側水晶板との間で前記キャビティを画定するように、前記外枠の板厚を前記水晶振動片より厚く形成することを特徴とする請求項９に記載の水晶振動子の製造方法。
【請求項１２】
前記中間水晶板を、前記外枠の板厚をその厚み方向上下に前記水晶振動片より厚く形成することを特徴とする請求項１１に記載の水晶振動子の製造方法。
【請求項１３】
前記上側及び下側水晶板の少くともいずれか一方を、前記キャビティを画定する凹部を前記中間水晶板との対向面に有するように形成することを特徴とする請求項１１に記載の水晶振動子の製造方法。
【請求項１４】
前記中間水晶板が複数の前記水晶振動片と前記外枠とを形成した中間水晶ウエハからなり、前記上側水晶板が、前記中間水晶ウエハの前記水晶振動片及び外枠に対応させて複数の前記凹部を形成した上側水晶ウエハからなり、前記下側水晶板が、前記中間水晶ウエハの前記水晶振動片及び外枠に対応させて複数の前記凹部を形成した下側水晶ウエハからなり、前記中間水晶ウエハを挟んでその上下面に前記上側及び下側水晶ウエハを重ね合わせかつそれらを陽極接合により一体に接合する工程と、接合した前記上側、中間及び下側水晶ウエハを個々の水晶振動子に切断する工程とを有することを特徴とする請求項９乃至１３のいずれかに記載の水晶振動子の製造方法。
【請求項１５】
前記下側水晶板が外部から前記キャビティに連通する封止孔を有するように形成され、かつ前記中間水晶板と前記上側及び下側水晶板とを陽極接合した後に、前記封止孔をシール材料で気密に閉塞する工程を更に有することを特徴とする請求項９乃至１４のいずれかに記載の水晶振動子の製造方法。
【請求項１６】
前記中間水晶板と前記上側及び下側水晶板とを陽極接合した後、前記封止孔をシール材料で気密に閉塞する工程の前に、前記上側または下側水晶板を介してレーザ光を前記水晶振動片に照射し、その励振電極を部分的に除去してその周波数を調整する工程を更に有することを特徴とする請求項１５に記載の水晶振動子の製造方法。
【発明の詳細な説明】
【技術分野】
【０００１】
本発明は、音叉型または厚みすべり振動モードの水晶振動片をパッケージに気密に収容した水晶振動子及びその製造方法に関する。
【背景技術】
【０００２】
従来より電子機器の小型化、薄型化に伴い、水晶振動子などの圧電デバイスはより一層の小型化・薄型化が要求されると共に、回路基板等への実装に適した表面実装型のものが多用されている。一般に表面実装型の圧電デバイスは、セラミックなどの絶縁材料で形成したパッケージに圧電振動片を封止する構造が広く採用されている。このような従来のパッケージ構造は、低融点ガラスを用いたりシーム溶接などによりベースとリッドとを接合する。そのため、低融点ガラスから発生するガスやシーム溶接の高熱の影響で、水晶振動片の周波数特性が低下したり劣化する虞がある。また、低融点ガラスは鉛を含んでいる場合が多く、そのような低融点ガラスの使用は環境に影響を及ぼす虞があることから、好ましくない。
【０００３】
そこで、かかる問題を解消するため、水晶振動子と一体に形成した外枠の上下面に金属層を設け、該金属層とガラスからなる蓋及びケースとを陽極接合した水晶振動子が提案されている（例えば特許文献１，２を参照）。また、この水晶振動子における水晶材料とガラス材料のように熱膨張率が異なる材料同士を接合する場合には、接合後に反りが生じ易い。これを防止するために、第１の基板をそれと熱膨張率が異なりかつ互いに同程度の熱膨張率を有する第２，第３の基板でサンドイッチ構造に挟装することにより、反りを相殺する方法が知られている（例えば特許文献３を参照）。
【０００４】
【特許文献１】特開２０００−６８７８０号公報
【特許文献２】特開平８−３４０２３１号公報
【特許文献３】特開平７−８６１０６号公報
【発明の開示】
【発明が解決しようとする課題】
【０００５】
しかしながら、ガラス材料を陽極接合する場合には、ガラス中に含まれるナトリウムなどのアルカリ金属が、電圧の印加によって接合面と反対側の表面に移動してリッチな状態になるので、耐水性が劣化する虞がある。これに対し、接合後にナトリウムリッチ層を研磨除去したり、別のガラス板を貼り付けてナトリウムを移動させる方法や、その表面を樹脂等で被覆することにより耐水性を確保する方法もあるが、いずれも作業が面倒でコストを増大させることになる。
【０００６】
更に、熱膨張率が異なる基板を互いに接合して多層のサンドイッチ構造にする場合、それら基板を同時に積層する必要がある。そのため、多層構造の各基板の位置合せは作業が非常に煩雑で多大な手間を要し、実作業効果を低下させる虞がある。また、基板間の熱膨張率の違いをサンドイッチ構造で吸収解消しようとしても、以前として熱膨張率に起因して中間層の基板にクラックが発生したり、構造全体に反りを生じる虞がある。その結果、基板の接合条件例えば接合温度が制約され、十分な接合強度、気密性を確保することが困難になる虞がある。
【０００７】
そこで本発明は、上述した従来の問題点に鑑みてなされたものであり、その目的は、水晶振動片と外枠とを一体に形成した水晶板に接合する上下基板を、熱膨張率が同じ水晶板で形成し、反りの問題を解消すると同時に、陽極接合により一体に接合することができる水晶振動子を提供することにある。
【０００８】
更に、熱膨張率を合わせることにより、各基板を、同時に接合することなく多層構造に形成することができ、しかもその製造工程において煩雑な位置合せを必要とせず、また、より幅広い接合条件を可能にする水晶振動子を提供することを目的とする。
【０００９】
また、本発明の目的は、かかる水晶振動子を簡単にかつ低コストで製造することができる方法を提供することにある。
【課題を解決するための手段】
【００１０】
本発明によれば、上記目的を達成するために、水晶振動片と外枠とを一体に形成した中間水晶板と、該中間水晶板の上面及び下面にそれぞれ接合される上側及び下側水晶板とを有し、中間水晶板と上側及び下側水晶板とにより画定されるキャビティ内に水晶振動片が浮いた状態で保持され、上側及び下側水晶板が、それぞれ中間水晶板との接合面に、例えばナトリウム、カリウム、リチウム、カルシウム、マグネシウムの中から選択した１種又は２種以上であるアルカリ金属のドーピング層を有し、該接合面において中間水晶板の外枠と陽極接合により気密に接合されている水晶振動子が提供される。
【００１１】
これにより、中間水晶板に上側及び下側水晶板を良好な状態で、反りや耐水性の劣化を生じることなく、一体に陽極接合することができる。また、このような水晶板の積層構成により、従来の水晶振動子に比して、より一層大幅に小型化及び薄型化を図ることができる。
【００１２】
或る実施例では、上側及び下側水晶板が、それぞれ中間水晶板との対向面に形成された凹部を有することにより、水晶振動片を収容するキャビティを画定することができる。
【００１３】
別の実施例では、中間水晶板が、同様に上側及び下側水晶板との間で前記キャビティを画定するように、外枠の板厚を水晶振動片よりも厚く形成することができる。この場合、中間水晶板の外枠が、その板厚を厚み方向上下両方に水晶振動片より厚く形成することができ、それにより上側及び下側水晶板の中間水晶板との対向面に凹部を設ける必要を無くすことができる。または、上側及び下側水晶板の少くともいずれか一方に、前記キャビティを画定するように中間水晶板との対向面に凹部を形成することができる。
【００１４】
或る実施例では、中間水晶板が外枠の上面に形成されかつ水晶振動片の一方の励振電極に接続された上側導電膜と、外枠の下面に形成されかつ水晶振動片の他方の励振電極に接続された下側導電膜と、外枠の下面に下側導電膜から電気的に分離させて形成されかつ外枠に設けたスルーホールを介して上側導電膜に電気的に接続された引出導電膜とを有し、下側水晶板が、その下面に形成されかつそれぞれ下側導電膜または引出導電膜と電気的に接続された複数の外部電極を有する。このような簡単な構成によって、表面実装型の水晶振動子が得られる。
【００１５】
別の実施例では、下側水晶板が外部からキャビティに連通する封止孔を有し、かつ封止孔がシール材料で気密に閉塞されている。これにより、水晶振動子のキャビティ内部を所望の真空状態または雰囲気に維持し、水晶振動子の劣化やそれによる周波数の変動を防止することができる。
【００１６】
本発明の別の側面によれば、水晶振動片と外枠とを一体にした中間水晶板を形成する工程と、中間水晶板との接合面にアルカリ金属のドーピング層を有する上側水晶板を形成する工程と、中間水晶板との接合面にアルカリ金属のドーピング層を有する下側水晶板を形成する工程と、中間水晶板を挟んでその上下面に前記上側及び下側水晶板を、中間水晶板と上側及び下側水晶板とにより画定されるキャビティ内に水晶振動片が浮いた状態で保持されるように重ね合わせ、上側及び下側水晶板の接合面と中間水晶板の外枠とを陽極接合により気密に接合する工程とを有する水晶振動子の製造方法が提供される。
【００１７】
これにより、上述した水晶板の積層構成からなり、より一層の小型化・薄型化が可能で反りや耐水性の劣化を生じない水晶振動子を比較的簡単にかつ低コストで製造することができる。
【００１８】
或る実施例では、上側水晶板を、水晶振動子を収容するキャビティを画定するための凹部を中間水晶板との対向面に有するように形成し、かつ下側水晶板を、上側水晶板の前記凹部と協働して前記キャビティを画定するための凹部を中間水晶板との対向面に有するように形成する。
【００１９】
別の実施例では、中間水晶板を、上側及び下側水晶板との間で前記キャビティを画定するように、外枠の板厚を水晶振動片より厚く形成することができる。この場合、中間水晶板を、外枠の板厚をその厚み方向上下に水晶振動片より厚くするように形成し、上側及び下側水晶板の中間水晶板との対向面に凹部を設ける必要を無くすことができる。または、上側及び下側水晶板の少くともいずれか一方を、前記キャビティを画定する凹部を中間水晶板との対向面に有するように形成することができる。
【００２０】
或る実施例では、中間水晶板が複数の水晶振動片と外枠とを形成した中間水晶ウエハからなり、上側水晶板が、中間水晶ウエハの水晶振動片及び外枠に対応させて複数の凹部を形成した上側水晶ウエハからなり、下側水晶板が、中間水晶ウエハの水晶振動片及び外枠に対応させて複数の凹部を形成した下側水晶ウエハからなり、中間水晶ウエハを挟んでその上下面に上側及び下側水晶ウエハを重ね合わせかつそれらを陽極接合により一体に接合する工程と、接合した上側、中間及び下側水晶ウエハを個々の水晶振動子に切断する工程とを有する。これにより、多数の水晶振動子を同時に製造することができ、生産性の向上及びコストの低下を図ることができる。
【００２１】
別の実施例では、下側水晶板が外部から水晶振動片を収容するキャビティに連通する封止孔を有するように形成され、かつ中間水晶板と上側及び下側水晶板とを陽極接合した後に、封止孔をシール材料で気密に閉塞する工程を更に有する。これにより、水晶振動子のキャビティ内部を所望の真空状態または雰囲気に維持し、水晶振動子の劣化やそれによる周波数の変動を防止した水晶振動子を容易に得ることができる。
【００２２】
更に別の実施例では、中間水晶板と上側及び下側水晶板とを陽極接合した後、封止孔をシール材料で気密に閉塞する工程の前に、上側または下側水晶板を介してレーザ光を水晶振動片に照射し、その励振電極を部分的に除去してその周波数を調整する工程を更に有する。これにより、水晶振動子の周波数を高精度に調整することができる。
【発明を実施するための最良の形態】
【００２３】
以下に、添付図面を参照しつつ、本発明の好適な実施例について詳細に説明する。
図１は、本発明による水晶振動子の好適な第１実施例を示している。水晶振動子１は、図１（Ａ）に示すように、中間水晶板２を挟んでその上面及び下面にそれぞれ上側及び下側水晶板３，４を一体に積層した構造を有する。
【００２４】
中間水晶板２は、図２（Ａ）、（Ｂ）に示すように、音叉型水晶振動片５と外枠６とが一体に形成されている。水晶振動片５は、外枠６に結合された基端部７から延出する１対の振動腕を有し、その表面に形成された一方の励振電極８が基端部７から引き出されて、外枠６上面に形成された上側導電膜９と電気的に接続されている。前記振動腕の表面に形成された他方の励振電極１０は、同様に基端部７から引き出されて、外枠６下面に形成された下側導電膜１１と電気的に接続されている。水晶振動片基端部７を結合した外枠６の長手方向端部には、２個のスルーホール１２が設けられている。この外枠６の長手方向端部の下面には、下側導電膜１１から分離させた引出導電膜１３が形成され、スルーホール１２内部の導電膜を介して上側導電膜９と電気的に接続されている。本実施例において、前記励振電極及び導電膜はアルミニウムで形成されているが、従来から知られているクロム、チタンなどの様々な導電材料を使用することができる。
【００２５】
上側及び下側水晶板３，４には、それぞれ中間水晶板２との対向面に、互いに協働して水晶振動片５を収容するキャビティを画定するように凹部１４，１５が形成されている。このキャビティ内に、水晶振動片５はその基端部７において片持ちに浮いた状態で保持される。上側及び下側水晶板３，４の接合面と導電膜９，１１を形成した中間水晶板２即ち外枠６の上下面とは、後述するように陽極接合されている。図１（Ｃ）に示すように、上側及び下側水晶板３，４の中間水晶板２との接合面には、アルカリ金属をドープしたドーピング層１６，１７がそれぞれ設けられている。アルカリ金属としては、例えばナトリウム、カリウム、リチウム、カルシウム、マグネシウムの中から選択した１種又は２種以上を使用する。このドーピング層を設けたことによって、上側及び下側水晶板３，４と中間水晶板２の上下面とは、良好な状態で気密に陽極接合され、前記キャビティを気密に封止する。
【００２６】
下側水晶板４の下面には、各角部にそれぞれ外部電極１８，１９が設けられている。更に下側水晶板４には、各角部に１／４円形の欠け２０，２１が形成されている。この欠けは、例えば大型の水晶板から個々の水晶板を分割する際に縦横切断線の交点に形成するキャスタレーション（円形貫通孔）が切断後に残ったものである。欠け２０，２１の内面にはそれぞれ導電膜が形成されており、前記各欠けに隣接する外部電極１８，１９とそれから覗く中間水晶板２の下側導電膜１１及び引出導電膜１３とを電気的に接続している。
【００２７】
また、下側水晶板４の略中央には、前記キャビティと外部とを連通する封止孔２２が貫設されている。封止孔２２はシール材料２３で気密に閉塞され、水晶振動片５を収容した前記キャビティ内部を気密に封止して、所望の真空状態または雰囲気に維持している。シール材料２３は、例えばＡｕ−Ｓｎ等の低融点金属材料を用いることができ、外部からレーザ光などで封止孔２２内に溶着させる。その場合、封止孔２２内面は予め金属膜で被覆しておくことが好ましい。また、シール材料２３は樹脂材料で封止することもでき、その場合に封止孔２２内面を金属膜で被覆する必要はない。
【００２８】
次に、図３を参照して、本発明の方法により水晶振動子を製造する工程を説明する。図３−１（Ａ）に示すように、図１の複数の水晶振動片５及び外枠６を縦及び横方向に連続して配置した大型の中間水晶ウエハ３０を準備する。水晶振動片５及び外枠６の外形は、フォトリソグラフィ技術を利用して水晶ウエハをエッチングすることにより形成する。各水晶振動片５及び外枠６の表面には、例えばアルミニウムなどの導電材料を蒸着することにより、前記励振電極及び導電膜を所望のパターンに成膜する。
【００２９】
また、複数の上側水晶板３を縦及び横方向に連続して配置した大型の上側水晶ウエハ３１を準備する。上側水晶ウエハ３１の中間水晶ウエハ３０との対向面には、中間水晶ウエハの各水晶振動片５及び外枠６に対応する複数の凹部１４が形成されている。これらの凹部は、例えば水晶ウエハ表面をエッチングまたはサンドブラスト加工することにより、容易に形成することができる。
【００３０】
同様にして、複数の下側水晶板４を縦及び横方向に連続して配置した大型の上側水晶ウエハ３２を準備する。下側水晶ウエハ３２の中間水晶ウエハ３０との対向面には、中間水晶ウエハの各水晶振動片５及び外枠６に対応する複数の凹部１５が、エッチングまたはサンドブラスト加工などにより形成されている。更に下側水晶ウエハ３２には、各凹部１５の略中央に封止孔２２が貫設され、かつ縦及び横方向に直交する下側水晶板４の外郭線の交点にそれぞれ円形貫通孔３３が形成されている。下側水晶板４の下面には、導電材料をスパッタリングなどにより成膜することにより、複数の外部電極１８，１９が予め所定の位置に形成されている。また、上述した低融点金属材料をシール材料２３に用いる場合、封止孔２２の内面に前記導電材料などの金属膜を予め形成する。
【００３１】
更に、本発明によれば、上側及び下側水晶板３，４の中間水晶板２との各接合面にアルカリ金属を公知の方法によりドープして、図１（Ｃ）に示すようなドーピング層１６，１７を形成する。前記ドーピング層の深さは、本実施例において数μｍ程度であるが、中間水晶板２と良好に陽極接合するのに十分な深さであれば良く、例えば数μｍから２，３０μｍの範囲で適当に設定することができる。
【００３２】
中間水晶ウエハ３０を挟んでその上下面に上側及び下側水晶ウエハ３１，３２を重ね合わせる。この状態で、図３−２（Ｂ）に示すように、直流電源３４，３５の両方の正極を中間水晶ウエハ３０に、各負極をそれぞれ上側及び下側水晶ウエハ３１，３２に接続し、所定の直流電圧を印加する。これにより、３枚の水晶ウエハ３０〜３２を図３−２（Ｃ）に示すように一体に接合する。
【００３３】
最後に、このように接合した水晶ウエハ積層体３６を縦横に直交する水晶振動子の外郭線３７に沿ってダイシングなどにより切断分割する。分割した各水晶振動子は、上側及び下側水晶板３，４が透明なことから、外部からレーザ光などを容易に照射でき、それにより周波数調整することができる。周波数調整した各水晶振動子は真空雰囲気に配置し、封止孔２２を気密に閉塞する。これにより、図１に示す水晶振動子１が完成する。
【００３４】
図４は、本発明による水晶振動子の第２実施例を示している。図１の第１実施例と同様に、水晶振動子４１は、図４（Ａ）に示すように、中間水晶板４２を挟んで上側及び下側水晶板４３，４４が一体に積層されている。中間水晶板４２は、図５（Ａ）、（Ｂ）に示すように、音叉型水晶振動片４５と外枠４６とが一体に形成されているが、外枠４６の板厚を水晶振動片４５よりも厚くした点において、上記第１実施例と異なる。特に本実施例では、外枠４６の板厚をその厚み方向上下両方に等しい大きさで厚くし、水晶振動片の基端部４７と外枠４６とは上下面両側でそれぞれ段差をもって結合されている。
【００３５】
水晶振動片４５の振動腕表面に形成された一方の励振電極４８は、基端部４７から上側の前記段差を介して外枠４６上面の上側導電膜４９に連続し、かつ他方の励振電極５０は前記基端部から下側の前記段差を介して外枠４６下面の下側導電膜５１に連続している。水晶振動片基端部４７と結合した外枠４６の長手方向端部は、スルーホール５２内部の導電膜を介して、該長手方向端部の下面に下側導電膜５１から分離して形成された引出導電膜５３と上側導電膜４９とが電気的に接続している。
【００３６】
更に本実施例では、上側及び下側水晶板４３，４４がそれぞれ中間水晶板４２との対向面を平坦にした平板である点において、上記第１実施例と異なる。中間水晶板４２の外枠４６の板厚を水晶振動片４５よりも厚くしたことによって、該中間水晶板を挟んで上側及び下側水晶板４３，４４を積層すると、その内部に水晶振動片４５を収容するキャビティ５４が画定される。このキャビティ内に水晶振動片４５は、同様に基端部４７において片持ちに浮いた状態で保持される。
【００３７】
上側及び下側水晶板４３，４４の接合面と導電膜４９，５１を形成した中間水晶板４２の外枠４６上下面とは、上記第１実施例と同様に陽極接合されている。図４（Ｂ）に示すように、外枠４６の上下各面に対応する上側及び下側水晶板４３，４４の接合面には、例えばナトリウム、カリウム、リチウム、カルシウム、マグネシウムの中から選択した１種又は２種以上のアルカリ金属をドープしたドーピング層５５，５６がそれぞれ設けられている。これにより、上側及び下側水晶板４３，４４と中間水晶板４２の上下面とが良好な状態で気密に陽極接合され、キャビティ５４を気密に封止する。
【００３８】
前記ドーピング層の深さは、中間水晶板４２と良好に陽極接合するのに十分な深さで良く、本実施例では数μｍ程度であるが、例えば数μｍから２，３０μｍの範囲で適当に設定することができる。別の実施例では、前記ドーピング層を上側及び下側水晶板４３，４４の中間水晶板４２との対向面全面に形成することができる。
【００３９】
第２実施例の水晶振動子４１も、図３に示す工程に従って本発明の方法により製造することができる。このとき、多数の上側及び下側水晶板４３，４４を構成する上側及び下側水晶ウエハは、それぞれ両面共平坦なウエハで形成できるので、有利である。
【００４０】
図６は、本発明による水晶振動子の第２実施例の変形例を示している。水晶振動子６１は、図６（Ａ）に示すように中間水晶板６２を挟んで上側及び下側水晶板６３，６４が一体に積層され、かつ中間水晶板６２が水晶振動片６５よりも外枠６６の板厚を厚くした点において、上記第２実施例と同じであるが、この変形例は次の点で上記第２実施例と異なる。即ち、中間水晶板６２は、図７（Ａ）、（Ｂ）に示すように一体に形成された水晶振動片６５及び外枠６６の下面を同一平面上に配置し、かつ外枠６６の板厚をその厚み方向上方にのみ厚くし、水晶振動片基端部６７と外枠６６とが上面側で段差をもって結合されている。
【００４１】
水晶振動片６５の振動腕表面に形成された一方の励振電極６８は、基端部６７から前記段差を介して外枠６６上面の上側導電膜６９に連続し、かつ他方の励振電極７０は前記基端部からそのまま外枠４６下面の下側導電膜７１に連続している。水晶振動片基端部６７と結合した外枠６６の長手方向端部は、スルーホール７２内部の導電膜を介して、該長手方向端部の下面に下側導電膜７１から分離して形成された引出導電膜７３と上側導電膜６９とが電気的に接続している。
【００４２】
更に本実施例では、上側水晶板６３が中間水晶板６２との対向面を平坦にした平板である点において上記第２実施例と共通するが、下側水晶板６４が、第１実施例の下側水晶板４と同様に中間水晶板６２との対向面に凹部７４を形成した点において、上記第２実施例と異なる。これら中間水晶板と上側及び下側水晶板６３，６４とを積層すると、その内部に水晶振動片６５を収容するキャビティ７５が画定され、このキャビティ内に水晶振動片６５が基端部６７において片持ちに浮いた状態で保持される。
【００４３】
上側及び下側水晶板６３，６４の接合面と導電膜６９，７１を形成した中間水晶板６２の外枠６６上下面とは、上記各実施例と同様に陽極接合されている。図６（Ｂ）に示すように、外枠６６の上下各面に対応する上側及び下側水晶板６３，６４の接合面には、例えばナトリウム、カリウム、リチウム、カルシウム、マグネシウムの中から選択した１種又は２種以上のアルカリ金属をドープしたドーピング層７６，７７がそれぞれ設けられている。これにより、上側及び下側水晶板６３，６４と中間水晶板６２の上下面とが良好な状態で気密に陽極接合され、キャビティ７５を気密に封止する。別の実施例では、上側水晶板６３の中間水晶板４２との対向面全面にドーピング層７６を形成することができる。
【００４４】
本実施例の水晶振動子６１も、同様に図３に示す工程に従って本発明の方法により製造することができる。このとき、多数の上側水晶板６４を構成する上側水晶ウエハは、両面共平坦なウエハで形成でき、また多数の中間水晶板６２を構成する中間水晶ウエハは、上面側からのエッチング加工のみで形成できるので、有利である。
【００４５】
更に別の実施例では、図６の水晶振動子の構成を上下逆にすることができる。即ち、中間水晶板は、水晶振動片及び外枠の上面を同一平面上に配置しかつ外枠の板厚をその厚み方向下方にのみ厚くし、上側水晶板は中間水晶板との対向面に凹部を形成し、下側水晶板は中間水晶板との対向面を平坦にした平板で構成する。また、別の実施例では、図４の第２実施例において、上側及び／又は下側水晶板の中間水晶板との対向面に凹部を形成することができる。
【００４６】
以上、本発明の好適実施例について詳細に説明したが、当業者に明らかなように、本発明はその技術的範囲内において上記各実施例に様々な変更・変形を加えて実施することができる。例えば、音叉型水晶振動子に代えて厚みすべり振動モードの水晶振動子についても同様に適用することができる。その場合、下側水晶板に設けた封止孔は省略することができる。
【図面の簡単な説明】
【００４７】
【図１】（Ａ）図は本発明による水晶振動子の第１実施例の断面図、（Ｂ）図は平面図、（Ｃ）図は部分拡大断面図。
【図２】（Ａ）図は図１に示す中間水晶板の上面図、（Ｂ）図は下面図。
【図３】図３−１及び図３−２は本発明の方法による水晶振動子の製造工程を順に示し、（Ａ）図は貼り合わせる３枚の水晶ウエハを示す概略斜視図、（Ｂ）図は陽極接合の要領を示す説明図、（Ｃ）図は接合した水晶ウエハの概略斜視図。
【図４】（Ａ）図は本発明による水晶振動子の第２実施例の断面図、（Ｂ）図はその部分拡大断面図。
【図５】（Ａ）図は図４に示す中間水晶板の上面図、（Ｂ）図は下面図。
【図６】（Ａ）図は第２実施例の変形例の断面図、（Ｂ）図はその部分拡大断面図。
【図７】（Ａ）図は図６に示す中間水晶板の上面図、（Ｂ）図は下面図。
【符号の説明】
【００４８】
１，４１，６１…水晶振動子、２，４２，６２…中間水晶板、３，４３，６３…上側水晶板、４，４４，６４…下側水晶板、５，４５，６５…水晶振動片、６，４６，６６…外枠、７，４７，６７…基端部、８，１０，４８，５０，６８，７０…励振電極、９，４９，６９…上側導電膜、１１，５１，７１…下側導電膜、１２，５２，７２…スルーホール、１３，５３，７３…引出導電膜、１４，１５，７４…凹部、１６，１７，５５，５６，７６，７７…ドーピング層、１８，１９…外部電極、２０，２１…欠け、２２…封止孔、２３…シール材料、３０…中間水晶ウエハ、３１…上側水晶ウエハ、３２…下側水晶ウエハ、３３…円形貫通孔、３４，３５…直流電源、３６…水晶ウエハ積層体、３７…外郭線、５４，７５…キャビティ。
【図１】
2006094372.tif 000003
【図２】
2006094372.tif 000004
【図３−１】
2006094372.tif 000005
【図３−２】
2006094372.tif 000006
【図４】
2006094372.tif 000007
【図５】
2006094372.tif 000008
【図６】
2006094372.tif 000009
【図７】
2006094372.tif 000010
【手続補正書】
【提出日】平成16年12月16日(2004.12.16)
【手続補正１】
【補正対象書類名】明細書
【補正対象項目名】００４７
【補正方法】変更
【補正の内容】
【００４７】
【図１】（Ａ）図は本発明による水晶振動子の第１実施例の断面図、（Ｂ）図は平面図、（Ｃ）図は部分拡大断面図。
【図２】（Ａ）図は図１に示す中間水晶板の上面図、（Ｂ）図は下面図。
【図３−１】（Ａ）図は本発明の方法による水晶振動子の製造工程において、貼り合わせる３枚の水晶ウエハを示す概略斜視図。
【図３−２】図３−１に続く工程を示し、（Ｂ）図は陽極接合の要領を示す説明図、（Ｃ）図は接合した水晶ウエハの概略斜視図。
【図４】（Ａ）図は本発明による水晶振動子の第２実施例の断面図、（Ｂ）図はその部分拡大断面図。
【図５】（Ａ）図は図４に示す中間水晶板の上面図、（Ｂ）図は下面図。
【図６】（Ａ）図は第２実施例の変形例の断面図、（Ｂ）図はその部分拡大断面図。
【図７】（Ａ）図は図６に示す中間水晶板の上面図、（Ｂ）図は下面図。